(57)【要約】【課題】外部に露出している検知センサ部を保護する。【解決手段】本体部５は、背面側の部位において、取付金具３の間に被取付部Ｓを挟み込むことで本体部５(センサライト部２）を被取付部Ｓに取り付ける。本体部５の背面部上部にはＵボルト７が回転可能に取り付けられ、このＵボルト７(取付軸部７ｂ）の先端部に取付金具３が、貫通穴部１１，１２に取付軸部７ｂが貫通した係合状態で設けられている。Ｕボルト７は、本体部５に対し回転することで、被取付部Ｓに取付金具３を用いて本体部５を取り付けることができる取付位置と、検知センサ部４を取付金具３が覆い保護する保護位置とを選択的に取り得る。【選択図】  図９
2011018541.tif 000002
【特許請求の範囲】
【請求項１】
外部に露出する検知センサ部を有する機器本体部が、前記機器本体部との間に被取付部を挟み込むことで前記機器本体部を前記被取付部に取り付ける取付具を備える電子機器の検知センサ部保護構造であって、
前記機器本体部に連結部材の基端部が回転可能に取り付けられ、前記連結部材の先端部に前記取付具が設けられ、
前記連結部材は、前記機器本体部に対し回転することで、前記被取付部に前記取付具を用いて前記機器本体部を取り付けることができる取付位置と、前記機器本体部の検知センサ部を前記取付具が覆う保護位置とを選択的に取り得ることを特徴とする電子機器の検知センサ部保護構造。
【請求項２】
前記連結部材は、前記機器本体部に回転可能に保持される回転軸部と、この回転軸部の各端部から前記回転軸部に直交する方向に平行に延びる１対の取付軸部とを有し、前記各取付軸部は、先端部がネジ部となっているものであり、
前記取付軸部のネジ部に固定ネジ部材が螺合され、この固定ネジ部材を締め付けることで前記取付位置あるいは保護位置に前記取付具を固定する構成とされていることを特徴とする請求項1記載の電子機器の検知センサ部保護構造。
【請求項３】
前記取付具は、本体部と、この本体部の縁部より互いに平行に延びる１対の側部とを有する断面コ字形状で、前記保護位置では、前記検知センサ部は前記本体部に対向しかつ前記側部の間に位置することを特徴とする請求項１または２記載の電子機器の検知センサ部保護構造。
【請求項４】
前記取付具は、前記連結部材の各取付軸部が挿通される１対の貫通穴部を有し、
前記貫通穴部は、前記側部の長手方向に直交する方向に延びる長穴部分を有することを特徴とする請求項２又は３記載の電子機器の検知センサ部保護構造。
【請求項５】
一方の前記貫通穴部は、前記長穴部分の長手方向に直交する方向に延び外部に開放される切り欠き部が形成され、
他方の前記貫通穴部は、前記長穴部分の前記切り欠き部に対応した位置で前記一方の貫通穴部側に延びる補助穴部が形成されていることを特徴とする請求項４記載の電子機器の検知センサ部保護構造。
【請求項６】
前記各貫通穴部の長穴部分に対し、長手方向に沿って複数の凹部が一定間隔でもって配置され、前記凹部は、前記凹部内で前記固定ネジ部材が回転可能な大きさであることを特徴とする請求項４または５記載の電子機器の検知センサ部保護構造。
【発明の詳細な説明】
【技術分野】
【０００１】
本発明は、例えばセンサライト等の電子機器の検知センサ部保護構造に関するものである。
【背景技術】
【０００２】
従来、人体検知センサにより人の移動を検知し、その検知結果に基づいて所定の動作を行う電子機器として、前記センサを中心とする、１８０度を超える広角範囲において人体を検知する人体検知センサを用いたセンサライトが知られている。
【０００３】
そのようなセンサライトの一つとして、３６０度検知式(全方位検知式）のものがあり、この３６０度検知式(全方位検知式）のセンサライトでは、検知センサ部(フレネルレンズ)が保護されることなく外部に露出している。
【０００４】
ところで、そのようなセンサライトは、取付場所が一定しておらず、センサライトの取付場所に応じて、取付部分の構造を変更する必要があるので、どのような取付場所にも幅広く対応することができるように、取付具を用い、センサライト本体と取付具とで、支柱、ポール等の被取付部を挟み込んで取り付けるセンサライトの取付構造は知られている（例えば、特許文献１参照）。
【先行技術文献】
【特許文献】
【０００５】
【特許文献１】実用新案登録第３０３５２９５号公報
【発明の概要】
【発明が解決しようとする課題】
【０００６】
前述した３６０度検知式(全方位検知式）のセンサライトのように、検知センサ部が外部に露出している電子機器では、搬送中や開梱時等において、壁や床等に誤って衝突や落下させた場合等に、検知センサ部(特に、フレネルレンズ）を破損させるおそれがある。
【０００７】
そこで、そのような外部に露出している検知センサ部を保護するために、もともと電子機器を被取付部に取り付けるために用いられる取付具を利用することで、別途新たに保護するための部材を設けることなく、検知センサ部の保護ができることに着想し、本発明をなしたものである。
【０００８】
この発明は、もともと電子機器を被取付部に取り付けるために用いられる取付具を利用することで、外部に露出している検知センサ部を保護することができる電子機器の検知センサ部保護構造を提供することを目的とする。
【課題を解決するための手段】
【０００９】
請求項１の発明は、外部に露出する検知センサ部を有する機器本体部が、前記機器本体部との間に被取付部を挟み込むことで前記機器本体部を前記被取付部に取り付ける取付具を備える電子機器の検知センサ部保護構造であって、前記機器本体部に連結部材の基端部が回転可能に取り付けられ、前記連結部材の先端部に前記取付具が設けられ、前記連結部材は、前記機器本体部に対し回転することで、前記被取付部に前記取付具を用いて前記機器本体部を取り付けることができる取付位置と、前記機器本体部の検知センサ部を前記取付具が覆う保護位置とを選択的に取り得ることを特徴とする。ここで、連結部材の形状は、特に制限されず、機器本体部に対し回転することで、取付位置と保護位置との間で、取付具を移動させることができるものであればよい。
【００１０】
このようにすれば、電子機器(例えばセンサライト）を支柱等の被取付部に取り付けるのに用いる取付具を、電子機器を所定の位置に取り付ける前の搬送中等において、検知センサ部（フレネルレンズ）を保護する保護位置とすることで、前記取付具にて前記検知センサ部を覆うことができる。よって、搬送中や開梱時に壁や床等に誤って衝突や落下させたりしても、取付具によって検知センサ部(フレネルレンズ)が保護されるので、壁や床等に直接接触することがなく、破損や損傷が防止される。
【００１１】
請求項２に記載のように、前記連結部材は、前記機器本体部に回転可能に保持される回転軸部と、この回転軸部の各端部から前記回転軸部に直交する方向に平行に延びる１対の取付軸部とを有し、前記各取付軸部は、先端部がネジ部となっているものであり、前記取付軸部のネジ部に固定ネジ部材が螺合され、この固定ネジ部材を締め付けることで前記取付位置あるいは保護位置に前記取付具を固定する構成とすることができる。
【００１２】
このようにすれば、固定ネジ部材を締め込むことで、取付具と機器本体部との間に被取付部を挟み込むことで前記機器本体部が前記被取付部に取り付けられる。特に１対の取付軸部を利用して取り付けるので、Ｌ字金具を用いて取り付ける特許文献１に記載の構造よりも、設置場所(例えば支柱）への締め付けが強くなり、取付安定性に優れる。
【００１３】
請求項３に記載のように、前記取付具は、本体部と、この本体部の縁部より互いに平行に延びる１対の側部とを有する断面コ字形状で、前記保護位置では、前記検知センサ部は前記本体部に対向しかつ前記側部の間に位置することが望ましい。ここで、「位置する」とは、検知センサ部全体が位置する場合だけでなく、一部だけ位置している場合も含まれる。
【００１４】
このようにすれば、検知センサ部を覆う上で有利な形状とされる。
【００１５】
請求項４に記載のように、前記取付具は、前記連結部材の各取付軸部が挿通される１対の貫通穴部を有し、前記貫通穴部は、前記側部の長手方向に直交する方向に延びる長穴部分を有することが望ましい。
【００１６】
このようにすれば、電子機器を支柱等の被取付部に取り付け、取付具の固定位置を決めた後でも、長穴部分を利用して、機器本体部を上下に移動させることができる。これにより、取付具の設置範囲が限られた場合でも、電子機器の設置高さを調節できる。
【００１７】
請求項５に記載のように、一方の前記貫通穴部は、前記長穴部分の長手方向に直交する方向に延び外部に開放される切り欠き部が形成され、他方の前記貫通穴部は、前記長穴部分の前記切り欠き部に対応した位置で前記一方の貫通穴部側に延びる補助穴部が形成されていることが望ましい。
【００１８】
このようにすれば、切り欠き部を利用して、取付具の一端部を連結部材から取り外すことができる。
【００１９】
請求項６に記載のように、前記各貫通穴部の長穴部分に対し、長手方向に沿って複数の凹部が一定間隔でもって配置され、前記凹部は、前記凹部内で前記固定ネジ部材が回転可能な大きさである構成とすることもできる。
【００２０】
このようにすれば、凹部内で固定ネジ部材を回転して取り付けることで、凹部と固定ネジ部材との係合関係で、長穴部分に沿って機器本体部の位置がずれるのが回避される。
【発明の効果】
【００２１】
本発明は、上記のように構成したから、電子機器(例えばセンサライト）を支柱等の被取付部に取り付けるのに用いる取付具を、電子機器を所定の位置に取り付ける前の搬送中等において、検知センサ部（フレネルレンズ）を保護する保護位置とすることで、前記取付具にて前記検知センサ部を覆うことができ、搬送中や開梱時等において、壁や床等との衝突や落下による検知センサ部(フレネルレンズ)の破損を防止することが可能となる。
【図面の簡単な説明】
【００２２】
【図１】本発明の電子機器の検知センサ部保護構造を適用した一実施の形態であるセンサライトの取付状態を示す側面図である。
【図２】同平面図である。
【図３】前記センサライトにおいて取付具が保護位置にある状態を示す側面図である。
【図４】同平面図である。
【図５】取付具を示し、（ａ）は正面図、（ｂ）は左側面図、（ｃ）は右側面図、（ｄ）は底面図である。
【図６】取付具と固定蝶ナットとの関係を示し、（ａ）は取付状態の正面図、（ｂ）は図６（ａ）のＡ−Ａ線における断面図である。（ｃ）（ｄ）はそれぞれ固定蝶ナットの平面図及び側面図である。
【図７】前記センサライトにおいて、取付具を保護位置にする手順の説明図である。
【図８】前記センサライトにおいて、取付具を保護位置にする手順の説明図である。
【図９】前記センサライトにおいて、取付具を保護位置にある状態の斜視図である。
【図１０】（ａ）（ｂ）はそれぞれ前記センサライトの取付高さの調整についての説明図である。
【図１１】従来のセンサライトの取付状態を示す説明図である。
【発明を実施するための形態】
【００２３】
以下、本発明の実施の形態を図面に沿って説明する。
【００２４】
本発明の一実施の形態であるセンサライト１(電子機器）は、図１〜図４に示すように、センサライト部２と、取付金具３（取付具）とを備える。
【００２５】
センサライト部２は、外部に露出する検知センサ部４を底面部に有する本体部（機器本体部）５の上側に照明部６が首振り可能に設けられている。検知センサ部４は、内部に広角検知センサが内蔵され、この広角検知センサによって侵入物の移動を検知し、所定の動作を行っている。この広角検知センサとしては、１８０度を超える広角範囲において侵入物（例えば、侵入者）を検知するもので、例えば、フレネルレンズを介して３６０度全方向を検知が可能である広角侵入検知センサを用いている。
【００２６】
一方、取付金具３は、断面コ字形状で、図５に示すように、本体部３Ａと、１対の側部３Ｂとを有する。本体部３Ａは、中央部の湾曲部分３Ａａと、この湾曲部分３Ａａから両側に延びる平面部分３Ａｂ，３Ａｂとを有する、側部３Ｂは、本体部３Ａの縁部より互いに平行に延びるものであり、中央部に被取付部Ｓが係合する切り欠き凹部３Ｂａが形成されている。
【００２７】
取付金具３の本体部３Ａには、１対の貫通穴部１１，１２が形成され、各貫通穴部１１，１２に後述するＵボルト７の各取付軸部７ｂが挿通されるようになっている。各貫通穴部１１，１２は、側部３Ｂの長手方向に直交する方向に長い長穴部分１１ａ，１２ａを有する。そして、一方の貫通穴部１１は、長穴部分１１ａの長手方向に直交する方向に延び外部に開放される切り欠き部１１ｂが形成され、他方の貫通穴部１２は、切り欠き部１１ｂに対応した位置で、一方の貫通穴部１１側に延びる補助穴部１２ｂが形成されている。
【００２８】
各貫通穴部１１，１２の長穴部分１１ａ，１２ａに対し、長手方向に沿って、複数の凹部１１ａａ，１２ａａが一定間隔でもって配置され、各凹部１１ａａ，１２ａａは同じ大きさである。
【００２９】
本体部５の背面部上部にはＵボルト（連結部材）７が回転可能に取り付けられている。このＵボルト７は、本体部５の背面部上部に回転可能に保持され本体部５の幅方向に延びる回転軸部７ａ(連結部材の基端部）と、この回転軸部７ａの各端部から回転軸部７ａに直交する方向に平行に延びる１対の取付軸部７ｂとを有し、各取付軸部７ｂは、先端部がネジ部となっている。このＵボルト７(取付軸部７ｂ）の先端部(連結部材の先端部）に、取付金具３が、貫通穴部１１，１２に取付軸部７ｂが貫通した係合状態で設けられ、取付軸部７ｂのネジ部に固定蝶ナット８（固定ネジ部材）が螺合されている。なお、固定蝶ナット８は、ナット８ａが埋め込まれた本体部８ｂと、本体部８ｂに設けられ回転時に把持するための耳部８ｃとを有する（図６（ｃ）（ｄ）参照）。凹部１１ａａ，１２ａａは、固定蝶ナット８を締め込むために、凹部１１ａａ，１２ａａ内で本体部８ｂが回転できる大きさとされている。
【００３０】
そして、Ｕボルト７は、本体部５に対し回転することで、支柱等の被取付部Ｓに取付金具３を用いて本体部５を取り付けることができる取付位置（図１及び図２参照）と、検知センサ部４を取付金具３が覆う保護位置（図３及び図４参照）とを選択的に取り得るようになっている。そして、固定蝶ナット８を締め付けることで、前記取付位置あるいは保護位置に取付金具３を固定することができるようになっている。
【００３１】
前記取付位置では、本体部５は、図６（ａ）（ｂ）に示すように、背面側の部位において、取付金具３の間に被取付部Ｓを挟み込み、凹部１１ａａ，１２ａａにおいて、固定蝶ナット８をＵボルト７の取付軸部７ｂのネジ部に対し締め込むことで、本体部５(センサライト部２）を被取付部Ｓに取り付けられるようになっている。ここで、凹部１１ａａ，１２ａａで固定蝶ナット８を締め付ければ、凹部１１ａａ，１２ａａと固定蝶ナット８との係合関係によりＵボルト７が上下左右に動かず、センサライト１の取付位置がずれることがないという利点があるが、凹部が設けられていない位置で固定蝶ナット８を締め付けて固定することも可能である。
【００３２】
前記保護位置では、図３及び図４に示すように、検知センサ部４は本体部５に対向しかつ側部３Ｂの間に位置するようになっている（図４参照）。なお、検知センサ部４の全部が位置する必要はなく、検知センサ部４を保護できるのであれば、少なくとも一部が位置するだけでもよい。
【００３３】
よって、取付金具３は、取付位置では、センサライト部２を支柱等の被取付部Ｓに取付固定する機能を発揮する一方、保護位置では、検知センサ部４を覆い保護する機能を発揮する。
【００３４】
続いて、取付金具３を保護位置あるいは取付位置にする手順について説明する。
【００３５】
保護位置にする場合には、まず、本体部５に設けられているＵボルト７の固定蝶ナット８を緩め、図７に示すように、取付金具３を本体部５から離れた位置に移動させ、次に、Ｕボルト７の取付軸部７ｂが取付金具３の貫通穴部１１，１２（長穴部分１１ａ，１２ａ）の上端位置に位置するように相対移動させる。
【００３６】
次に、取付金具３を、回転軸部７ａを回転中心として９０度回転させ、図８に示すように、本体部５の下部に設けられている検知センサ部４の真下に移動させる。このとき、取付金具３は、検知センサ部４より離れた位置にある。
【００３７】
最後に、固定蝶ナット８を、取付金具３の側部３Ｂが本体部５と接触するまで締める。これにより、図９に示すように、取付金具３によって検知センサ部４が覆われ、保護されることになる。このとき、凹部１１ａａ，１２ａａを形成することにより取付金具３内に突出する突出部分は、検知センサ部４と干渉することはない（図３参照）。
【００３８】
続いて、センサライト１を支柱等の被取付部Ｓに取り付けるために取付位置にするには、取付前においては取付金具３は通常検知センサ部４を覆い保護する保護位置に固定蝶ナット８によって固定されているので、まず、固定蝶ナット８を緩め、取付金具３の一方の貫通穴部１１の切り欠き部１１ｂを利用して、Ｕボルト７の取付軸部７ｂの一方を、取付金具３の貫通穴部１１との係合を解除する。この係合解除状態で、この係合解除部分を通じてＵボルト７と取付金具３との間に被取付部Ｓを配置し、それから再びＵボルト７の取付軸部７ｂの一方を、取付金具３の貫通穴部に係合させて、被取付部Ｓを本体部５の背面と取付金具３とで挟み込んだ状態とし、固定蝶ナット８で締める。
【００３９】
貫通穴部１１，１２に沿って凹部１１ａａ，１２ａａが形成されているため、固定蝶ナット８を凹部１１ａａ，１２ａａ内で締めることにより固定蝶ナット８が凹部１１ａａ，１２ａａ内に引っ掛かり、上下左右に移動するおそれがない状態で固定される。
【００４０】
また、固定蝶ナット８による固定位置を、貫通穴部１１，１２の長穴部分１１ａ，１２ａの長手方向の範囲で変えることで、本体部５の取付高さを調整することができる。例えば図１０（ａ）に示すように、取り付け状態で、検知できないエリアが存在する場合には、長穴部分１１ａ，１２ａを利用して、検知センサ部４の位置を上下方向において調整することで、図１０（ｂ）に示すように、検知できないエリアをなくすことができる。
【００４１】
これにより、センサライト部２の設置位置を、上下方向の広い範囲に亘って調整することができるため、３６０度の検知エリアを有するセンサライト１の場合に特に有効に利用することができる。なお、従来は、図１１に示すように、本体部５の背面に本体ホルダー３１を取り付け、それから取付プレート３２で支柱等の被取付部Ｓを挟むように取り付け、続いて取付プレート３２を取付専用の固定蝶ナット８で締め付け、被取付部Ｓに固定するため、検知できないエリアが生ずる場合があったが、本発明では、取付高さを調整できるので、このような事態が生ずるのが解消される。
【００４２】
前記実施の形態では、取付具として取付金具を用いているが、合成樹脂やゴム等の衝撃吸収材料で取付具を形成するようにすれば、搬送中や開梱時等において、壁や床等に誤って衝突や落下させた場合等に、検知センサ部(フレネルレンズ)の破損や損傷を防止する上でより有利である。
【００４３】
また、前記実施の形態では、電子機器としての３６０度検知式(全方位検知式）のセンサライトに適用した例について説明したが、本発明はそれに限定されるものではなく、外部に露出する検知センサ部４を有する機器本体部が、前記機器本体部との間に被取付部を挟み込むことで前記機器本体部を前記被取付部に取り付ける取付具（取付金具）を備える電子機器であれば、同様に適用することができる。
【符号の説明】
【００４４】
１    センサライト
２    センサライト部
３    取付金具（取付具）
３Ａ    本体部
３Ｂ    側部
４    検知センサ部
５    本体部
６    照明部
７    Ｕボルト
７ａ    回転軸部
７ｂ    取付軸部
８    固定蝶ナット（固定ネジ部材）
１１，１２    貫通穴部
１１ａ，１２ａ    長穴部分
１１ｂ    切り欠き部
１２ｂ    補助穴部
１１ａａ，１２ａａ    凹部
【図１】
2011018541.tif 000003
【図２】
2011018541.tif 000004
【図３】
2011018541.tif 000005
【図４】
2011018541.tif 000006
【図５】
2011018541.tif 000007
【図６】
2011018541.tif 000008
【図７】
2011018541.tif 000009
【図８】
2011018541.tif 000010
【図９】
2011018541.tif 000011
【図１０】
2011018541.tif 000012
【図１１】
2011018541.tif 000013